(57)【要約】【課題】ボタン形状が大きくても照光部をムラ無く十分な照光状態で照光させる機能を持つキーボタン照光構造を提供すること。【解決手段】このキーボタン照光構造の場合、確定キー１０が各導光部１１を一体的に有すると共に、４方向キー１２の真下に各導光部１１が配置される他、配線基板１４上における各導光部１１の先端に対応する箇所に各発光ダイオード１３が配置される構成であり、各導光部１１が各発光ダイオード１３からの発光を導光してそれらの点灯時に確定キー１０をムラ無く強く照光させられる構造となっている。各導光部１１については、確定キー１０と一体化されて４方向キー１２の真下における異なる方向の操作部同士の間で外方へ延在して配置されるように組み付けられる。【選択図】図１
2008071654.tif 000002
【特許請求の範囲】
【請求項１】
中央部分に配置されて照光に供される透光性を有する照光部と、前記照光部の周囲に装着されると共に、押下操作に供される遮光性を有する押圧用ボタンと、前記押圧用ボタンの押下操作に応じて導通して発光すると共に、所定の配線パターンが施された配線基板上に該押圧用ボタンへ組み付けられた状態の前記照光部とは隔てられて配置される複数の発光素子と、前記押圧用ボタンの押下操作に応じた前記複数の発光素子における発光を導光して前記照光部へ照射する複数の導光部とを備えたボタン照光構造であって、前記複数の導光部は、前記照光部と一体化されると共に、それぞれ前記押圧用ボタンの真下における異なる方向で外方へ延在して配置されるように該押圧用ボタンに対して組み付けられ、前記複数の発光素子は、前記配線基板上における前記複数の導光部の端部に対応する箇所にそれぞれ配置されたことを特徴とするボタン照光構造。
【請求項２】
請求項１記載のボタン照光構造において、前記押圧用ボタンは、前記照光部の外方へ延在する前記複数の導光部をそれぞれ嵌め込むための凹状に切り欠かれた溝部を所定箇所に有することを特徴とするボタン照光構造。
【請求項３】
請求項１又は２記載のボタン照光構造において、前記押圧用ボタンは、異なる方向での押下操作が可能な多方向キーであり、前記複数の発光素子は、前記多方向キーの前記異なる方向での押下操作に応じて発光すると共に、該発光を前記複数の導光部を介してそれぞれ導光して前記照光部へ照射することを特徴とするボタン照光構造。
【請求項４】
請求項３記載のボタン照光構造において、前記多方向キーは、４方向キーであり、前記複数の導光部及び前記複数の発光素子は、それぞれ４個設けられたことを特徴とするボタン照光構造。
【請求項５】
中央部分に配置されて照光に供されると共に、確定用の押下操作に供される透光性を有する確定キーと、前記確定キーの周囲に装着されると共に、異なる方向での押下操作が可能な遮光性を有する多方向キーと、前記多方向キーの前記異なる方向での押下操作に応じて導通して発光すると共に、所定の配線パターンが施された配線基板上に前記多方向キーへ組み付けられた状態の前記確定キーとは隔てられて配置される複数の発光素子と、前記多方向キーの前記異なる方向での押下操作に応じた前記複数の発光素子における発光を導光して前記確定キーへ照射する複数の導光部とを備えたキーボタン照光構造であって、前記複数の導光部は、前記確定キーと一体化されると共に、それぞれ前記多方向キーの真下における異なる方向で外方へ延在して配置されるように該多方向キーに対して組み付けられ、前記複数の発光素子は、前記配線基板上における前記複数の導光部の端部に対応する箇所にそれぞれ配置されたことを特徴とするキーボタン照光構造。
【請求項６】
請求項５記載のキーボタン照光構造において、前記複数の導光部は、それぞれ前記多方向キーの真下における前記異なる方向の操作部同士の間で外方へ延在して配置されたことを特徴とするキーボタン照光構造。
【請求項７】
請求項５又は６記載のキーボタン照光構造において、前記多方向キーは、前記確定キーの外方へ延在する前記複数の導光部をそれぞれ嵌め込むための凹状に切り欠かれた溝部を所定箇所に有することを特徴とするキーボタン照光構造。
【請求項８】
請求項５〜７の何れか一つに記載のキーボタン照光構造において、前記多方向キーは、４方向キーであり、前記複数の発光素子及び前記複数の導光部は、それぞれ４個設けられたことを特徴とするキーボタン照光構造。
【発明の詳細な説明】
【技術分野】
【０００１】
本発明は、主として電気・電子・通信情報機器に搭載されると共に、ボタン形状が大きくても照光部をムラ無く照光させる機能を持つボタン照光構造、及び特に携帯電話機に代表される携帯端末機への適用が好適なキーボタン照光構造に関する。
【背景技術】
【０００２】
従来、電気・電子・通信情報機器では、ボタンの押下操作に応じてその一部分となる透光性を有する照光部（多くは中央部分に配置される）を照光させるボタン照光構造を汎用的に適用しているが、携帯電話機等の携帯端末機の場合にはその利便性により老若男女を問わず幅広い世代の人に普及しており、基本機能だけでは差別化が難しくなってきている現状にあり、その反面として装置の薄型化やデザインの重要性が増している。
【０００３】
携帯端末機のキーボタン照光構造におけるメインキーパッドは、ストレートタイプや折り畳みタイプ等の種別に拘らず機能やデザイン上で非常に重要である。このメインキーパッドは、一般的に中央部分に配置される確定キーとその周囲に装着される４方向キーとから成っている。このうち、確定キーについては、押下操作の頻度が高いために目立たせるように透光性を有するようにして照光させるデザインのものが多くなっている。４方向キーについては、その操作性のために面積が大きくなっているが、この部分を照光させると接着剤の跡やムラが目立ってしまうため、メッキ等を施して遮光性を持たせることにより照光させずに非照光とするデザインのものが多い。尚、こうしたキーボタン照光構造の場合、確定キー及び４方向キーの何れについても、高齢者にも使用し易いようにデザインを大きくしたものも多くなっている。
【０００４】
図６は、従来の携帯電話機に搭載されたキーボタン照光構造（特に文献公知に係る発明でないが、一般的に適用されている構造のもの）の基本構成を示した概略図であり、同図（ａ）は上面側からの外観図に関するもの，同図（ｂ）は同図（ａ）のＥ−Ｅ線方向における側面断面図に関するものである。
【０００５】
このキーボタン照光構造の場合、中央部分に配置されて照光に供されると共に、確定用の押下操作に供される透光性を有する確定キー３０と、この確定キー３０の周囲に装着されると共に、異なる方向（上下左右）での押下操作が可能な遮光性を有する４方向キー３２と、４方向キー３２の異なる方向での押下操作に応じて導通して発光すると共に、所定の配線パターンが施された配線基板１４上に４多方向キー３２へ組み付けられた状態の確定キー３０とは隔てられて４多方向キー３２の外側に配置された４個の発光素子としての発光ダイオード（ＬＥＤ）１３とを有している。
【０００６】
即ち、このキーボタン照光構造では、機器本体の薄型化及び操作性の向上を図るため、配線パターンが施された配線基板１４上における４方向キー３２の裏面対応箇所に各発光ダイオード１３を搭載せずにその外側の対応箇所へ配置（押下操作部分となる上下左右の外側）し、４方向キー３２の大きさ（表面積）を大きくすることにより、確定キー３０と各発光ダイオード１３との距離が大きくなっている。
【発明の開示】
【発明が解決しようとする課題】
【０００７】
上述した図６に示すキーボタン照光構造の場合、機器本体の薄型化及び操作性の向上を図るために基板上における４方向キー外側の対応箇所へ各発光ダイオードを配置）し、４方向キーの表面積を大きくして確定キーと各発光ダイオードとの距離が大きい構造であることにより、各発光ダイオードからの照射光が確定キーまで十分に届かずに不十分なものとなっている上、照射部となる確定キーの照光状態にムラが生じて目立ってしまうという問題がある。
【０００８】
因みに、こうした問題は、携帯電話機に搭載されるようなキーボタン照光構造に限らず、一般的な中央部分に照光部を持ち、その周囲に押下操作に供される遮光性を有する押圧用ボタンが配置されるボタン照光構造においても共通したものとなっている。
【０００９】
本発明は、このような問題点を解消すべくなされたもので、その技術的課題は、ボタン形状が大きくても照光部をムラ無く十分な照光状態で照光させる機能を持つボタン照光構造及びキーボタン照光構造を提供することにある。
【課題を解決するための手段】
【００１０】
本発明によれば、中央部分に配置されて照光に供される透光性を有する照光部と、照光部の周囲に装着されると共に、押下操作に供される遮光性を有する押圧用ボタンと、押圧用ボタンの押下操作に応じて導通して発光すると共に、所定の配線パターンが施された配線基板上に該押圧用ボタンへ組み付けられた状態の照光部とは隔てられて配置される複数の発光素子と、押圧用ボタンの押下操作に応じた複数の発光素子における発光を導光して照光部へ照射する複数の導光部とを備えたボタン照光構造であって、複数の導光部は、照光部と一体化されると共に、それぞれ押圧用ボタンの真下における異なる方向で外方へ延在して配置されるように該押圧用ボタンに対して組み付けられ、複数の発光素子は、配線基板上における複数の導光部の端部に対応する箇所にそれぞれ配置されたボタン照光構造が得られる。
【００１１】
又、本発明によれば、上記ボタン照光構造において、押圧用ボタンは、照光部の外方へ延在する複数の導光部をそれぞれ嵌め込むための凹状に切り欠かれた溝部を所定箇所に有するボタン照光構造が得られる。
【００１２】
更に、本発明によれば、上記何れかのボタン照光構造において、押圧用ボタンは、異なる方向での押下操作が可能な多方向キーであり、複数の発光素子は、多方向キーの異なる方向での押下操作に応じて発光すると共に、該発光を複数の導光部を介してそれぞれ導光して照光部へ照射するボタン照光構造が得られる。
【００１３】
加えて、本発明によれば、上記ボタン照光構造において、多方向キーは、４方向キーであり、複数の導光部及び複数の発光素子は、それぞれ４個設けられたボタン照光構造が得られる。
【００１４】
一方、本発明によれば、中央部分に配置されて照光に供されると共に、確定用の押下操作に供される透光性を有する確定キーと、確定キーの周囲に装着されると共に、異なる方向での押下操作が可能な遮光性を有する多方向キーと、多方向キーの異なる方向での押下操作に応じて導通して発光すると共に、所定の配線パターンが施された配線基板上に多方向キーへ組み付けられた状態の確定キーとは隔てられて配置される複数の発光素子と、多方向キーの異なる方向での押下操作に応じた複数の発光素子における発光を導光して確定キーへ照射する複数の導光部とを備えたキーボタン照光構造であって、複数の導光部は、確定キーと一体化されると共に、それぞれ多方向キーの真下における異なる方向で外方へ延在して配置されるように該多方向キーに対して組み付けられ、複数の発光素子は、配線基板上における複数の導光部の端部に対応する箇所にそれぞれ配置されたキーボタン照光構造が得られる。
【００１５】
又、本発明によれば、上記キーボタン照光構造において、複数の導光部は、それぞれ多方向キーの真下における異なる方向の操作部同士の間で外方へ延在して配置されたキーボタン照光構造が得られる。
【００１６】
更に、本発明によれば、上記何れかのキーボタン照光構造において、多方向キーは、確定キーの外方へ延在する複数の導光部をそれぞれ嵌め込むための凹状に切り欠かれた溝部を所定箇所に有するキーボタン照光構造が得られる。
【００１７】
他方、本発明によれば、上記何れか一つのキーボタン照光構造において、多方向キーは、４方向キーであり、複数の発光素子及び複数の導光部は、それぞれ４個設けられたキーボタン照光構造が得られる。
【発明の効果】
【００１８】
本発明に係るボタン照光構造（キーボタン照光構造）の場合、複数の導光部を照光部（確定キー）と一体化すると共に、押圧用ボタン（多方向キーとしての４方向キー）の真下における異なる方向で外方へ延在して配置されるように押圧用ボタン（４方向キー）に対して組み付け、各発光素子を配線基板上における各導光部の端部に対応する箇所にそれぞれ配置させた構造（特にキーボタン照光構造では機器本体の薄型化及び操作性の向上を確保するために各導光部を４方向キーの真下における異なる方向の操作部の位置を避けて操作部同士の間で外方へ延在して配置させた上で多方向キーに形成した溝部に嵌め込む構造）としているため、各発光素子の数を増加したり、或いは機器の厚さ（背体寸法）を厚くすること無く、ボタン形状が大きくても照光部をムラ無く十分な照光状態で照光させる機能を低背化構造で具現できるようになる。
【発明を実施するための最良の形態】
【００１９】
本発明の最良の形態に係るボタン照光構造は、中央部分に配置されて照光に供される透光性を有する照光部と、この照光部の周囲に装着されると共に、押下操作に供される遮光性を有する押圧用ボタンと、この押圧用ボタンの押下操作に応じて導通して発光すると共に、所定の配線パターンが施された配線基板上に押圧用ボタンへ組み付けられた状態の照光部とは隔てられて配置される複数の発光素子と、押圧用ボタンの押下操作に応じた各発光素子における発光を導光して照光部へ照射する複数の導光部とを備えた基本構造のものであって、各導光部については、照光部と一体化されると共に、それぞれ押圧用ボタンの真下における異なる方向で外方へ延在して配置されるように押圧用ボタンに対して組み付けられ、各発光素子については、配線基板上における複数の導光部の端部に対応する箇所にそれぞれ配置されたものである。
【００２０】
但し、このボタン照光構造の場合、押圧用ボタンについては、照光部の外方へ延在する各導光部をそれぞれ嵌め込むための凹状に切り欠かれた溝部を所定箇所に有することが好ましい。又、押圧用ボタンについては、異なる方向での押下操作が可能な多方向キーであり、各発光素子については、多方向キーの異なる方向での押下操作に応じて発光すると共に、発光を各導光部を介してそれぞれ導光して照光部へ照射することが好ましい。更に、多方向キーを４方向キーとし、各導光部及各発光素子をそれぞれ４個設けることも好ましい。
【００２１】
以下は、本発明のボタン照光構造を携帯端末機としての携帯電話機へ適用した場合のキーボタン照光構造について、幾つかの実施例を挙げ、図面を参照して具体的に説明する。
【実施例１】
【００２２】
図１は、本発明の実施例１に係るキーボタン照光構造の基本構成を分解して示した斜視図である。
【００２３】
このキーボタン照光構造の場合も、図６に示した従来構造のものと比べ、基本構成として、中央部分に配置されて照光に供されると共に、確定用の押下操作に供される透光性を有する確定キー１０と、この確定キー１０の周囲に装着されると共に、異なる方向（上下左右）での押下操作が可能な遮光性を有する４方向キー１２と、この４方向キー１２の異なる方向での押下操作に応じて導通して発光すると共に、所定の配線パターンが施された配線基板１４上に４方向キー１２へ組み付けられた状態の確定キー１０とは隔てられて配置される４個の発光素子としての発光ダイオード１３とを有している点は共通しているが、ここでの確定キー１０には４方向キー１２の異なる方向での押下操作に応じた各発光ダイオード１３における発光を導光して確定キー１０へ照射するための４個の導光部１１が確定キー１０と一体化固定されている。換言すれば、ここでの各導光部１１は、それぞれ４方向キー１２の真下における異なる方向で外方へ延在して配置されるように確定キー１０と一体化されて４方向キー１２に対して組み付けられるようになっており、各発光ダイオード１３は、配線基板１４上における各導光部１１の端部に対応する箇所にそれぞれ配置されている。
【００２４】
即ち、このキーボタン照光構造においては、確定キー１０が各導光部１１を一体的に有すると共に、４方向キー１２の真下に各導光部１１が配置される他、配線基板１４上における各導光部１１の先端に対応する箇所に各発光ダイオード１３が配置される構成であり、各導光部１１が各発光ダイオード１３からの発光を導光してそれらの点灯時に確定キー１０をムラ無く強く照光させられる構造となっている。
【００２５】
図２は、このキーボタン照光構造を搭載した携帯電話機の基本構成を示した概略図であり、同図（ａ）は上面側からの一部を抜粋して透視した外観図に関するもの，同図（ｂ）は同図（ａ）のＡ−Ａ線方向における側面断面の分解図に関するものである。又、図３は、図２（ａ）に示されるキーボタン照光構造自体の基本構成を示した概略図であり、同図（ａ）は上面側からの他部を抜粋して透視した外観図に関するもの，同図（ｂ）は同図（ａ）のＢ−Ｂ線方向における側面断面の分解図に関するものである。
【００２６】
各図を参照すれば、このキーボタン照光構造の場合、機器本体の薄型化及び操作性の向上を確保するための細部構造として、各導光部１１については、確定キー１０と一体化されて４方向キー１２の真下における異なる方向の操作部同士の間で外方へ延在して配置され、各発光ダイオード１３については、配線基板１４上における各導光部１１の端部に対応する箇所にそれぞれ配置されるようになっており、４方向キー１２については、確定キー１０の外方へ延在する各導光部１１をそれぞれ嵌め込むための凹状に切り欠かれた溝部１２ａを所定箇所に有するようになっている。
【００２７】
具体的に説明すれば、図２（ａ），（ｂ）に示される確定キー１０及び４方向キー１２の真下における異なる方向の操作部の基本構造については、確定キー１０を中心位置にして４方向キー１２へ装着した上、配線基板１４上の所定箇所に対して、メタルドーム１８を有するシート１９と押し子１５を有するラバー１７とを介在させて組み付ける際、確定キー１０には一体化された各導光部１１が延在（存在）していない方向であり、これに伴って配線基板１４上にも各発光ダイオード１３が延在（存在）していない方向となっており、４方向キー１２における左右の操作部の真下と確定キー１０の真下とに対応する箇所にラバー１７の押し子１５とシート１９のメタルドーム１８とが配置される構造となっている。因みに、４方向キー１２の上下の操作部の真下についても全く同様な構造となっている。
【００２８】
このうち、確定キー１０は、透明樹脂を使用し、裏面へ印刷を施して照光する仕様となっている。４方向キー１２は、表面に対してメッキ処理等を施すことにより、裏面が見えないように処理されている。これらのキーボタンはラバー１７と接着されるが、ラバー１７には押し子１５と呼ばれる突起が各キーボタンの中央部に付くようになっている。ラバー１７の裏面側にはメタルドーム１８を有するシート１９が配置され、ラバー１７及びシート１９は押し子１５とメタルドーム１８の中心が合うように配置される。最底面側には配線基板１４が配置されるが、配線基板１４上には各キーボタンにおけるメタルドーム１８の中心に合うようランド１６が配置されている。
【００２９】
これに対し、図３（ａ），（ｂ）に示される４方向キー１２の真下における各操作部同士の間で外方に延在する照光部の基本構造については、同様に確定キー１０を中心位置にして４方向キー１２へ装着した上、配線基板１４上の所定箇所に対して、シート１９とラバー１７とを介在させて組み付ける際、確定キー１０には一体化された各導光部１１が延在（存在）する方向であり、これに伴って配線基板１４上にも各発光ダイオード１３が延在（存在）する方向となっており、確定キー１０の真下に対応する箇所にはラバー１７の押し子１５とシート１９のメタルドーム１８とが配置されているものの、４方向キー１２における左右の操作部の真下と上下の操作部の真下との間の位置にはラバー１７の押し子１５とシート１９のメタルドーム１８とが配置されない構造となっている。
【００３０】
このうち、確定キー１０に一体化された各導光部１１は上下左右の操作十字方向に対して４５度回転した位置の異なる４方向に配置されている。各導光部１１の表面には各発光ダイオード１３からの照射光を導光し易いように図示されない溝が刻まれている。４方向キー１２の裏面には各導光部１１が干渉しないように各導光部１１の形状に沿った溝部１２ａが形成されている。確定キー１０及び４方向キー１２はラバー１７へ接着されるもので、ラバー１７の裏面側にはメタルドーム１８を有するシート１９を介在して配線基板１４が配置される。配線基板１４上の所定箇所には発光ダイオード１３が搭載されており、発光ダイオード１３は確定キー１０の各導光部１１の先端部に対応する位置に配置される。
【００３１】
図４は、上述したキーボタン照光構造自体における基本動作を説明するために示した概略図であり、同図（ａ）は上面側からの要部を透視した外観図に関するもの，同図（ｂ）は同図（ａ）のＣ−Ｃ線方向における側面断面図に関するものである。
【００３２】
このキーボタン照光構造では、４方向キー１２の所定の操作部が押下操作されてそれに対応する発光ダイオード１３が点灯した際（通常４方向キー１２の上下左右の操作部は機能分けされており、使用者がそれらを押下操作して選択した機能のメニュー内容を特定する場合に確定キー１０を押下操作するようになっている）、その照射光が表面側上方に照光されると最寄りの導光部１１を通って確定キー１０まで伝達される。このとき、４方向キー１２には表面にメッキ処理等が施されて遮光性を持たされているため、導光部１１の伝達光が漏れることはなく、４方向キー１２の押下操作時においても押し子１５と導光部１１とが干渉していない構造であるために十分なクリック感が得られて安定した電気的接触を図ることができる。
【００３３】
実施例１に係るキーボタン照光構造の場合、基本的には４方向キー１２が大きくて確定キー１０と各発光ダイオード１３とが離れている場合でも、確定キー１０に各導光部１１が付設されているため、各発光ダイオード１３からの照射光が各導光部１１を伝達して確定キー１０に届くことにより、確定キー１０の照光状態のムラを抑制することができる。
【００３４】
尚、配線基板１４上に配置されるＣＰＵ等の発光パターンの制御により上述した動作機能の他、例えば４方向キー１２の所定の操作部における押下操作に応じて４方向からの各発光ダイオード１３の照射光が一斉に各導光部１１を伝達して確定キー１０に届くようにすれば、確定キー１０の照光を強くして照光状態のムラを十分に改善することができる。又、４方向に配置された各発光ダイオード１３の発光色を適宜変化させるようにすれば確定キー１０の照光状態を自由にコントロールすることができるし、各発光ダイオード１３の照光具合いを制御すれば確定キー１０をグラデーションのように照光させることも可能であるので、確定キー１０の照光にバリエーションを与えることもできる。何れにしても、上述した図６に示した従来構造の場合と同様な発光ダイオード１３の数量とし、キーボタンの厚さがメタルドーム１８，押し子１５，確定キー１０，４方向キー１２で決定され、且つ４方向キー１２の外側へ各発光ダイオード１３を配置していることにより、キーエリア部分に厚み増加をもたらすことなく照光状態や照光ムラの改善、バリエーションの向上を図ることができる（簡単に言えば発光ダイオード１３の増加や装置厚みの増加なしで照光状態，照光ムラの改善やバリエーションの向上を実現できる）。
【実施例２】
【００３５】
図５は、本発明の実施例２に係るボタン照光構造自体における基本動作を説明するために示した概略図であり、同図（ａ）は上面側からの要部を透視した外観図に関するもの，同図（ｂ）は同図（ａ）のＤ−Ｄ線方向における側面断面図に関するものである。
【００３６】
先の実施例１では携帯電話機用のキーボタン照光構造、即ち、大きなキーボタンとして確定キー１０の周囲に４方向キー１２が配置されるメインキー構造を説明したが、ここでは通常の大き目のボタン照光構造として、中央部分のマーク部分となる透光性を有する照光部２０の周囲に押下操作に供される押圧用ボタンとなる遮光性を有するメッキボタン２２が配置されたものにおいて、メッキボタン２２の真下における上下左右方向に延在して配置されるように各導光部２１が照光部２０に対して一体化されており、配線基板１４上における各導光部２１の端部に対応する箇所に発光ダイオード１３がそれぞれ配置されるように組み付けられた構造となっている。このボタン照光構造では、２色成型技術を適用してデザイン仕様として、メッキボタン２２にはメッキ処理が施されたものとし、照光部２０にはメッキを施さずに照光させるものである。メッキボタン２２にはＡＢＳ樹脂、照光部２０にはＰＣ樹脂を使用し、２色成型する場合を例示できる。
【００３７】
このボタン照光構造においても、照光部２０に各導光部２１が一体的に設けられており、照光部２０と各発光ダイオード１３との距離が離れていても、メッキボタン２２の押下操作による各発光ダイオード１３からの照射光が各導光部２１を通って照光部２０に伝達されるため、照光部２０の照光状態をムラなく強くすることができ、実施例１の場合と同様な効果が得られる。
【００３８】
尚、ここでもメッキボタン２２を４方向キーとして機能分けし、配線基板１４上に配置されるＣＰＵ等の発光パターンの制御によりその上下左右の操作部の押下操作により所定の発光ダイオード１３を発光させてその照射光を照光部２０へ照射させる等、発光ダイオード１３の増加や装置厚みの増加なしで照光状態，照光ムラの改善やバリエーションの向上を実現できる。
【図面の簡単な説明】
【００３９】
【図１】本発明の実施例１に係るキーボタン照光構造の基本構成を分解して示した斜視図である。
【図２】図１に示すキーボタン照光構造を搭載した携帯電話機の基本構成を示した概略図であり、（ａ）は上面側からの一部を抜粋して透視した外観図に関するもの，（ｂ）は（ａ）のＡ−Ａ線方向における側面断面の分解図に関するものである。
【図３】図２（ａ）に示されるキーボタン照光構造自体の基本構成を示した概略図であり、（ａ）は上面側からの他部を抜粋して透視した外観図に関するもの，（ｂ）は（ａ）のＢ−Ｂ線方向における側面断面の分解図に関するものである。
【図４】図２（ａ），図３（ａ）に示されるキーボタン照光構造自体における基本動作を説明するために示した概略図であり、（ａ）は上面側からの要部を透視した外観図に関するもの，（ｂ）は（ａ）のＣ−Ｃ線方向における側面断面図に関するものである。
【図５】本発明の実施例２に係るボタン照光構造自体における基本動作を説明するために示した概略図であり、（ａ）は上面側からの要部を透視した外観図に関するもの，（ｂ）は（ａ）のＤ−Ｄ線方向における側面断面図に関するものである。
【図６】従来の携帯電話機に搭載されたキーボタン照光構造の基本構成を示した概略図であり、（ａ）は上面側からの外観図に関するもの，（ｂ）は（ａ）のＥ−Ｅ線方向における側面断面図に関するものである。
【符号の説明】
【００４０】
１０，３０  確定キー
１１，２１  導光部
１２，３２  ４方向キー
１２ａ  溝部  
１３  発光ダイオード（ＬＥＤ）
１４  配線基板
１５  押し子
１６  ランド
１７  ラバー
１８  メタルドーム
１９  シート
２０  照光部
２２  メッキボタン
【図１】
2008071654.tif 000003
【図２】
2008071654.tif 000004
【図３】
2008071654.tif 000005
【図４】
2008071654.tif 000006
【図５】
2008071654.tif 000007
【図６】
2008071654.tif 000008